【手続補正書】
【提出日】平成19年2月20日(2007.2.20)
【手続補正１】
【補正対象書類名】特許請求の範囲
【補正対象項目名】全文
【補正方法】変更
【補正の内容】
【特許請求の範囲】
【請求項１】
他の電話との通話手段と、
データを記憶する記憶手段と、
出力装置に前記データを送信する所定周波数帯域の電波による近距離無線通信手段と、
前記データの送信処理中に前記通話手段により着信があるときには前記データの送信と通話とを並列処理する並列処理手段と、
を備えたことを特徴とする携帯電話。
【請求項２】
前記近距離無線通信手段はブルートゥースであることを特徴とする請求項１に記載の携帯電話。
【請求項３】
前記データの送信処理中に前記通話手段により着信があるときには前記並列処理手段が前記データの送信と該通話とを並列処理するモードと、前記データの送信処理と前記通話のための処理とが共存すると判断した場合には設定された優先度に基づく一つの処理を優先実行するモードと、前記データの送信処理中に前記通話手段により着信があるときには該通話処理を実行し、前記送信処理の状態を表示するモードと、のうち前記並列処理手段が並列処理を行うモードを含む少なくとも２つを備え、
前記複数のモードのうちの何れか一つを実行するモードとして設定する設定手段と、
を備えたことを特徴とする請求項１又は２に記載の携帯電話。
【請求項４】
前記出力装置は、前記携帯電話からデータを受信する受信部と、
前記受信部が受信したデータのデータ種が所定のデータ種であるかどうかを識別する識別手段と、
レイアウトデータを記憶する記憶部と、
前記識別手段が前記所定のデータ種であると識別した場合は、当該データ種に対応する前記レイアウトデータを前記記憶部から読み出し、前記レイアウトデータを用いて前記データをレイアウト付きデータに変換する変換処理部と、
前記レイアウト付きデータに基づく出力処理を行って前記データの内容を前記データ種に応じたレイアウトで出力する出力手段と
を備えたことを特徴とする請求項１〜３のうち何れか一項に記載の携帯電話。
【請求項５】
前記近距離無線通信手段から送信される前記データは、前記携帯電話の操作部を操作して入力された指定情報が記述されるとともにレイアウト定義できないデータ種のデータであり、
前記出力装置は、前記携帯電話からデータを受信する受信部と、
前記受信部が受信したデータに含まれる指定情報を取得する取得手段と、
指定情報に対応するレイアウトデータを記憶する記憶部と、
前記取得手段が取得した指定情報に対応するレイアウトデータを前記記憶部から読み出し、該レイアウトデータを用いて前記データをレイアウト定義できるデータ種のレイアウト付きデータに変換する変換処理部と、
前記レイアウト付きデータに基づき出力処理を行って前記データの内容を前記指定情報に応じたレイアウトで出力する出力手段と
を備えたことを特徴とする請求項１〜３のうち何れか一項に記載の携帯電話。
【請求項６】
前記受信部は、前記携帯電話から受信したデータのデータ種からデータの適否を判定する判定部と、前記判定部により前記データ種が適切と判定した場合は該データを受け付け、前記データ種が不適切と判定した場合は該データを破棄する受付部とを備え、さらに前記出力装置は、前記受付部において前記データを受け付けて該データの送信処理中にあるときにその旨を報知し、前記受付部において前記データを破棄したときは該データの送信処理を中止した旨を報知する報知部を備えたことを特徴とする請求項４又は５に記載の携帯電話。
【請求項７】
前記受信部は、前記判定部が前記データ種の適否の判定のために参照すべき参照データを携帯電話から予め受信して記憶部に書き込むセットアップ手段を更に備えたことを特徴とする請求項６に記載の携帯電話。
【請求項８】
請求項１〜７のうち何れか一項に記載の前記携帯電話と、前記出力装置とを備えたことを特徴とする出力処理システム。
【手続補正２】
【補正対象書類名】明細書
【補正対象項目名】０００１
【補正方法】変更
【補正の内容】
【０００１】
出力処理を行う出力装置に無線通信でデータを送信する携帯電話に係り、詳しくはデータ送信の際における処理技術に関する。
【手続補正３】
【補正対象書類名】明細書
【補正対象項目名】０００５
【補正方法】変更
【補正の内容】
【０００５】
本発明においては、無線通信でデータを送信する際における着信に適応することができる携帯電話及び出力処理システムを提供することにある。
【手続補正４】
【補正対象書類名】明細書
【補正対象項目名】０００６
【補正方法】変更
【補正の内容】
【０００６】
本発明では、他の電話との通話手段と、データを記憶する記憶手段と、出力装置に前記データを送信する所定周波数帯域の電波による近距離無線通信手段と、前記データの送信処理中に前記通話手段により着信があるときには前記データの送信と該通話とを並列処理する並列処理手段と、を備えたことを要旨とする。この構成によれば、ユーザは、データ送信とともに通話を楽しむことができ、着信に対して容易に対応することができる。
【手続補正５】
【補正対象書類名】明細書
【補正対象項目名】０００７
【補正方法】変更
【補正の内容】
【０００７】
本発明では、前記近距離無線通信手段はブルートゥースであることを要旨とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明では、前記データの送信処理中に前記通話手段により着信があるときには前記並列処理手段が前記データの送信と該通話とを並列処理するモードと、前記データの送信処理と前記通話のための処理とが共存すると判断した場合には設定された優先度に基づく一つの処理を優先実行するモードと、前記データの送信処理中に前記通話手段により着信があるときには該通話処理を実行し、前記送信処理の状態を表示するモードと、のうち前記並列処理手段が並列処理を行うモードを含む少なくとも２つを備え、前記複数のモードのうちの何れか一つを実行するモードとして設定する設定手段と、を備えたことを要旨とする。この構成によれば、データ通信と通話とを並列処理するモードと、データ通信と通話の何れを優先するかを設定するモードと、通話を行いデータ通信の状態を表示するモードとを備え、選択したモードを記憶することで、ユーザの各種要望に容易に応じることができる。
【手続補正８】
【補正対象書類名】明細書
【補正対象項目名】００１０
【補正方法】変更
【補正の内容】
【００１０】
本発明では、前記出力装置は、前記携帯電話からデータを受信する受信部と、前記受信部が受信したデータのデータ種が所定のデータ種であるかどうかを識別する識別手段と、レイアウトデータを記憶する記憶部と、前記識別手段が前記所定のデータ種であると識別した場合は、当該データ種に対応する前記レイアウトデータを前記記憶部から読み出し、前記レイアウトデータを用いて前記データをレイアウト付きデータに変換する変換処理部と、前記レイアウト付きデータに基づく出力処理を行って前記データの内容を前記データ種に応じたレイアウトで出力する出力手段とを備えたことを要旨とする。この構成によれば、携帯電話からデータを送信して出力装置にデータ種に応じたレイアウトでデータ内容を出力させるときに、データを出力装置に送信する時間が長く、その送信中に着信がある可能性が高くなるような場合にも、着信に容易に対応することができる。
【手続補正９】
【補正対象書類名】明細書
【補正対象項目名】００１１
【補正方法】変更
【補正の内容】
【００１１】
本発明では、前記近距離無線通信手段から送信される前記データは、前記携帯電話の操作部を操作して入力された指定情報が記述されるとともにレイアウト定義できないデータ種のデータであり、前記出力装置は、前記携帯電話からデータを受信する受信部と、前記受信部が受信したデータに含まれる指定情報を取得する取得手段と、指定情報に対応するレイアウトデータを記憶する記憶部と、前記取得手段が取得した指定情報に対応するレイアウトデータを前記記憶部から読み出し、該レイアウトデータを用いて前記データをレイアウト定義できるデータ種のレイアウト付きデータに変換する変換処理部と、前記レイアウト付きデータに基づき出力処理を行って前記データの内容を前記指定情報に応じたレイアウトで出力する出力手段とを備えたことを要旨とする。
本発明では、前記受信部は、前記携帯電話から受信したデータのデータ種からデータの適否を判定する判定部と、前記判定部により前記データ種が適切と判定した場合は該データを受け付け、前記データ種が不適切と判定した場合は該データを破棄する受付部とを備え、さらに前記出力装置は、前記受付部において前記データを受け付けて該データの送信処理中にあるときにその旨を報知し、前記受付部において前記データを破棄したときは該データの送信処理を中止した旨を報知する報知部を備えることが好ましい。
さらに本発明では、前記受信部は、前記判定部が前記データ種の適否の判定のために参照すべき参照データを携帯電話から予め受信して記憶部に書き込むセットアップ手段を更に備えることが好ましい。
また、本発明は、出力処理システムであって、上記発明の前記携帯電話と、前記出力装置とを備えたことを要旨とする。